(57)【要約】【課題】  傾斜させた状態を強力に維持可能な埋設構造物を提供すること。  【解決手段】  内部に集水空間１１０を備え、底壁１２１が円弧状をした本体部１２０と、前記底壁１２１と対応する形状の設置面１３１を設けた土台部１３０とを備え、前記本体部１２０が前記設置面１３１上で傾斜可能となっており、路面Ｒに埋設されて、路面Ｒからの雨水等を排水する排水路を形成する埋設構造物１００であって、前記本体部１２０の一部には、前記本体部１２０が前記設置面１３１上で傾斜した状態で、前記土台部１３０に形成された被当接面（１３６、１３３）に、当接可能な当接面（１２６、１２８）が形成されていることを特徴とする。【選択図】図４
2016098499.tif 000002
【特許請求の範囲】
【請求項１】
内部に集水空間を備え、底壁が円弧状をした本体部と、
前記底壁と対応する形状の設置面を設けた土台部とを備え、
前記本体部が前記設置面上で傾斜可能となっており、
路面に埋設されて、路面からの雨水等を排水する排水路を形成する埋設構造物であって、
前記本体部の一部には、前記本体部が前記設置面上で傾斜した状態で、前記土台部に形成された被当接面に、当接可能な当接面が形成されていることを特徴とする埋設構造物。
【請求項２】
前記本体部の底壁は、当該底壁の表面から突出した脚部を備え、
当該脚部の側面を、前記当接面とし、
さらに、前記土台部の設置面には、前記脚部を収容可能な収容溝を設け、
当該収容溝の端面を、前記本体部が前記設置面上で傾斜した状態で、前記当接面と当接する前記被当接面としたことを特徴とする請求項１に記載の埋設構造物。
【請求項３】
前記本体部の底壁両側の側壁は、当該側壁の表面から突出した側面部を備え、
当該側面部の下面を、前記当接面とし、
さらに、前記土台部の設置面の両側に上端面を設け、
当該上端面を、前記本体部が前記設置面上で傾斜した状態で、前記当接面と当接する前記被当接面としたことを特徴とする請求項１に記載の埋設構造物。
【請求項４】
前記当接面の少なくとも一部は、前記本体部が前記設置面上で傾斜する角度に応じて、傾斜した傾斜面であり、
前記被当接面と面接触することを特徴とする請求項１から３のいずれかに記載の埋設構造物。
【発明の詳細な説明】
【技術分野】
【０００１】
本願発明は、勾配を有する道路や、林道等の路面を横断するようにして埋設される側溝、及び集水枡などの埋設構造物に関する。
【背景技術】
【０００２】
勾配を有する道路や林道では、その路面を横断するようにして、側溝や集水枡等の埋設構造物が埋設されている。この側溝は、路面からの雨水等を集水し、側溝に接続された集水枡へ排水している。ただ、側溝や集水枡は水平に設置される場合が多く、この側溝や集水枡と、その周囲の勾配を有する路面との間で、勾配変化が不連続となっていた。そのため、路面を走行している車両等が側溝や集水枡を横断すると、不連続な勾配変化を拾ってしまい、同乗者や積荷に衝撃が伝わるという問題があった。また、その衝撃により埋設構造物も破損するという問題があった。
【０００３】
そこで、この問題を解決するために、埋設される路面表面の勾配と一致するように、埋設構造物を設置可能な特許文献１の技術が知られている。この特許文献１の技術は、内部に集水空間を備える本体部と、当該本体部を設置する設置面を設けた土台部とを備えた埋設構造物であり、本体部の底壁は円弧状で、本体部を設置する設置面は、この円弧状の底壁と対応した形状をしている。そのため、路面表面の勾配と一致させるように、本体部を設置面上で傾斜させることができる。
【０００４】
さらに、この特許文献１の埋設構造物は、本体部の底壁に、固定部材が貫通可能な長尺状の貫通孔を設け、設置面には、固定部材の先端を固定可能な固定穴を設けているので、路面表面の勾配と一致させるように、本体部を設置面上で傾斜させた状態を維持できるのである。
【０００５】
ただ、上記特許文献１の埋設構造物では、設置される状況によって、固定部材の固定力のみでは、その傾斜させた状態を維持するのが不十分な場合もあり得る。また、固定部材を使用しない場合は、傾斜させた状態を維持することは困難となる。
【先行技術文献】
【特許文献】
【０００６】
【特許文献１】特許第５６１２１８６号
【発明の開示】
【発明が解決しようとする課題】
【０００７】
そこで、本願発明は、傾斜させた状態を強力に維持可能な埋設構造物を提供することを目的とする。
【課題を解決するための手段】
【０００８】
上記課題を解決するために、本願発明の埋設構造物は、内部に集水空間を備え、底壁が円弧状をした本体部と、前記底壁と対応する形状の設置面を設けた土台部とを備え、前記本体部が前記設置面上で傾斜可能となっており、路面に埋設されて、路面からの雨水等を排水する排水路を形成する埋設構造物であって、前記本体部の一部には、前記本体部が前記設置面上で傾斜した状態で、前記土台部に形成された被当接面に、当接可能な当接面が形成されていることを特徴としている。
【０００９】
上記特徴によれば、本体部が土台部の設置面上で傾斜した状態は、本体部の当接面と土台部の被当接面とが当接することによって、強力に維持される。また、当接面は本体部の一部であり、被当接面は土台部の一部であるから、別途、傾斜した状態を維持するための部材を用意する必要がなく、便利である。
【００１０】
次に、本願発明の埋設構造物は、前記本体部の底壁は、当該底壁の表面から突出した脚部を備え、当該脚部の側面を、前記当接面とし、さらに、前記土台部の設置面には、前記脚部を収容可能な収容溝を設け、当該収容溝の端面を、前記本体部が前記設置面上で傾斜した状態で、前記当接面と当接する前記被当接面としたことを特徴としている。
【００１１】
上記特徴によれば、本体部に脚部を設けたので、地面等に立てた状態で本体部を保管できる。特に、本体部の底壁は、傾斜出来るように円弧状をしているので、底壁を平坦な地面等に設置して保管するとなると、本体部が転がって横転してしまい非常に危険である。しかしながら、脚部によって、本体部を立てた状態で安定して保管できるので、非常に便利である。
【００１２】
また、本体部を土台部の設置面上に載置する場合も、その立てた状態の本体部をそのまま持ち上げればよいので、作業がしやすい。さらに、この脚部は収容溝に収容されるので、載置の際に邪魔になることがない。また、脚部の側面は、収容溝の端面に当接するので、傾斜した状態を強力に維持することができる。
【００１３】
次に、本願発明の埋設構造物は、前記本体部の底壁両側の側壁は、当該側壁の表面から突出した側面部を備え、当該側面部の下面を、前記当接面とし、さらに、前記土台部の設置面の両側に上端面を設け、当該上端面を、前記本体部が前記設置面上で傾斜した状態で、前記当接面と当接する前記被当接面としたことを特徴としている。
【００１４】
上記特徴によれば、本体部が土台部の設置面上で傾斜した状態は、本体部の当接面である下面と、土台部の被当接面である上端面とが当接することによって、強力に維持される。また、当接面は本体部の一部であり、被当接面も土台部の一部であるから、別途、傾斜した状態を維持するための部材を用意する必要がなく、便利である。
【００１５】
次に、本願発明の埋設構造物は、前記当接面の少なくとも一部は、前記本体部が前記設置面上で傾斜する角度に応じて、傾斜した傾斜面であり、前記被当接面と面接触することを特徴としている。
【００１６】
上記特徴によれば、本体部の当接面の傾斜面が、土台部の被当接面と面接触できるので、当該面接触により、本体部が傾斜した状態を更に強力に維持できる。
【発明の効果】
【００１７】
上述したように、本願発明の埋設構造物によれば、傾斜させた状態を強力に維持することができる。
【図面の簡単な説明】
【００１８】
【図１】本願発明の埋設構造物である側溝、及び集水枡を路面に埋設した状態を示した斜視図である。
【図２】本願発明の埋設構造物である側溝の本体部を示したもので、（ａ）は本体部の斜視図、（ｂ）は平面図、（ｃ）は側面図、（ｄ）は底面図である。
【図３】本願発明の埋設構造物である側溝の土台部を示したもので、（ａ）は土台部の斜視図、（ｂ）は平面図、（ｃ）は側面図、（ｄ）は図３（ａ）におけるＡ―Ａ断面図である。
【図４】（ａ）は、本願発明の側溝の土台部に本体部を載せた状態の側面図、（ｂ）は、図３（ａ）におけるＡ―Ａ断面図であって、土台部に本体部を載せた状態の断面図、（ｃ）は、図４（ｂ）における状態から、本体部を傾斜させた状態の断面図、（ｄ）は、脚部の側面に傾斜面を備えた場合の断面図、（ｅ）は、収容溝の端面に傾斜面を備えた場合の断面図である。
【図５】本願発明の側溝の変形例１を示したもので、（ａ）は当該変形例１に係る側溝の本体部の側面図、（ｂ）は平面図、（ｃ）は底面図、（ｄ）は正面図である。
【図６】本願発明の側溝の変形例１を示したもので、（ａ）は側溝の側面図、（ｂ）は側溝の本体部を傾斜させた状態の側面図である。
【図７】本願発明の側溝の変形例２を示したもので、（ａ）は当該変形例２に係る側溝の本体部の左側面図、（ｂ）は右側面図、（ｃ）は平面図、（ｄ）は底面図、（ｅ）は背面図、（ｆ）は正面図である。
【図８】本願発明の側溝の変形例２を示したもので、（ａ）は側溝の側面図、（ｂ）は側溝の本体部を傾斜させた状態の側面図である。
【図９】本願発明の埋設構造物の本体部の傾斜状態を維持するために、補助的に使用可能な補助固定具を説明するものであって、（ａ）は補助固定具の側面図、（ｂ）は補助固定具の正面図、（ｃ）から（ｇ）は、埋設構造物に補助固定具を取り付けた状態の側面図である。
【図１０】本願発明の埋設構造物である集水枡の本体部を示したもので、（ａ）は本体部の斜視図、（ｂ）は平面図、（ｃ）は側面図、（ｄ）は底面図、（ｅ）は本体部を２分割したタイプの斜視図である。
【図１１】本願発明の埋設構造物である集水枡の土台部を示したもので、（ａ）は土台部の斜視図、（ｂ）は平面図、（ｃ）は側面図、（ｄ）は図１１（ａ）におけるＢ―Ｂ断面図である。
【図１２】本願発明の集水枡の変形例１を示したもので、（ａ）は当該変形例１に係る集水枡の本体部の側面図、（ｂ）は平面図、（ｃ）は底面図、（ｄ）は正面図である。
【図１３】本願発明の集水枡の変形例１を示したもので、（ａ）は集水枡の側面図、（ｂ）は集水枡の本体部を傾斜させた状態の側面図である。
【図１４】本願発明の集水枡の変形例２を示したもので、（ａ）は当該変形例２に係る集水枡の本体部の左側面図、（ｂ）は右側面図、（ｃ）は平面図、（ｄ）は底面図、（ｅ）は背面図、（ｆ）は正面図である。
【図１５】本願発明の集水枡の変形例２を示したもので、（ａ）は集水枡の側面図、（ｂ）は側溝の本体部を傾斜させた状態の側面図である。
【符号の説明】
【００１９】
１００      埋設構造物
１１０      集水空間
１２０      本体部
１２１      底壁
１３０      土台部
１３１      設置面
１２６、１２８    当接面
１３６、１３３    被当接面
Ｒ         路面
【発明を実施するための形態】
【００２０】
以下に、本発明の実施の形態について、図面を用いて説明する。
【００２１】
図１は、路面Ｒに埋設構造物である側溝１００及び集水枡２００を埋設した状態を示している。なお、図面では、側溝１００及び集水枡２００の設置状態を分かりやすくするために、路面Ｒの一部（図面上手前側）を取り除いて表している。
【００２２】
側溝１００は、その上端が路面Ｒと同一平面上に位置しており、路面Ｒからの雨水を上端に嵌め込まれたグレーチングを介して内部の集水空間１１０へ集水させることができる。また、集水枡２００は、側溝１００に隣接して配置されるものであり、側溝１００の集水空間１１０に集水された雨水等を、本体部２２０の内部の集水空間（枡）へ集めている。そして、集水枡２００内部の集水空間に集められた雨水は、例えば、集水枡２００に接続された他の側溝１００や排水管（不図示）等を介して川などに排水されたりする。このように、側溝１００及び集水枡２００は、路面に埋設されて、路面からの雨水等を排水する排水路を形成している。
【００２３】
また、側溝１００は、大きく分けると、本体部１２０と土台部１３０から構成されている。この土台部１３０は、路面Ｒを掘り下げて出来た穴に略水平に設置され、本体部１２０が設置面１３１上に傾けて設置されている。この傾きは、路面Ｒの勾配と一致するように、設置現場にて適宜調節される。そのため、路面Ｒがどのような勾配をしていても、本体部１２０の傾きを変更すれば、本体部１２０の上端と路面Ｒは同一平面となり、段差が生じることがない。
【００２４】
一方、集水枡２００は基本的に側溝１００と同じ構成であり、本体部２２０と土台部２３０からなる。この土台部２３０は、略水平に埋設され、その上に本体部２２０が傾けて設置されている。この傾きは、路面Ｒの勾配に応じて設置現場にて適宜調節することができ、本体部２２０の上端と路面Ｒは同一平面となるので、路面Ｒとの間に段差が生じない。また、隣接する側溝１００の上端面とも段差が生じていない。そのため、側溝１００及び集水枡２００からなる埋設構造物は、路面Ｒの勾配に対応するように傾斜して設置できるので、路面Ｒとの間に段差が生じる事がなく、路面Ｒからの雨水等も効率よく集水することができる。
【００２５】
なお、側溝１００の本体部１２０及び土台部１３０、並びに、集水枡２００の本体部２２０及び土台部２３０は、それぞれの形状に対応した型枠にコンクリートを流し込んで形成されたものである。
【００２６】
＜側溝について＞
以下では、側溝１００の構造について、更に詳しく説明する。
【００２７】
まず、側溝１００の本体部１２０の構造について説明する。図２に示すように、側溝１００の本体部１２０は、円弧状の底壁１２１とその両端に、垂直方向へ連接された平坦な側壁１２２からなる。そして、本体部１２０は、この３つの壁部により、全体が長手方向に延びる略Ｕ字状となり、そのＵ字内部に雨水等を流すことのできる集水空間１１０を形成している。なお、上端１２３の内側には、段部が形成されており、グレーチング等を置くことができる。
【００２８】
また、底壁１２１には、計４つの脚部１２５が設けられており、図２（ｃ）に示すように、本体部１２０を平坦な地面等に立てて置くことができる。さらに、この脚部１２５は、底壁１２１の表面から突出形成したものであるが、その側面１２６を、後述する端面１３６に当接する当接面として利用する。なお、脚部１２５の高さを、Ｈ１とする。
【００２９】
また、底壁１２１には、その短手方向へ長尺状の貫通孔１２４が、平行に２つ設けられている。さらに、この貫通孔１２４の両内壁には、貫通孔１２４の上端面から一段下がった段部が設けられている。そして、この貫通孔１２４には、後述する固定部材としてのボルトが貫通することになるが、好ましくは、このボルトの頭部は、貫通孔１２４の一部である段部に係止し、ボルトの軸部は、段部の間を貫通するのがよい。なお、貫通孔１２４の長手方向の長さは、本体部１２０を傾斜させたい角度に応じて、任意の長さに設定すればよい。
【００３０】
次に、側溝１００の土台部１３０の構造について説明する。図３に示すように、側溝１００の土台部１３０は、中央を円弧状に削られた略直方体形状をしている。この土台部１３０の縦方向（長手方向）の長さは、本体部１２０の縦方向（長手方向）の長さと一致している。また、土台部１３０の横方向の幅は、本体部１２０の横方向の幅より広くしてある。
【００３１】
また、この設置面１３１は、その表面が底壁１２１の半径と等しい円弧状となっており、底壁１２１と対応した形状となっている。したがって、設置面１３１上に本体部１２０の底壁１２１を載せれば、本体部１２０は設置面１３１の表面上で、左右に傾斜させる（回動させる）ことができるのである。
【００３２】
なお、この設置面１３１の半径は、底壁１２１の半径と等しいことが望ましいが、設置面１３１の半径を底壁１２１の半径以上に設定してもよい。すなわち、この設置面１３１の「底壁と対応した形状」とは、底壁１２１の形状と略相似形状をしていると共に、本体部１２０を左右に傾斜可能とする形状を意味する。
【００３３】
また、設置面１３１の中心には、固定部材としてのボルトの先端が螺合するための固定穴Ｈが、形成されている。さらに、この土台部１３０の長手方向の中心には、勾配調節溝１３４が設けられている。この勾配調節溝１３４は、平坦な上端面１３３の内側端部を斜めに切欠いたように形成されており、バール等の勾配調節補助部材の先端が容易に差し込めるようになっている。
【００３４】
さらに、設置面１３１には、土台部１３０の短手方向へ長尺の収容溝１３５が、本体部１２０の脚部１２５に対応する位置に形成されている。そして、図２（ｄ）に示すように、収容溝１３５は、設置面１３１の表面から一定の深さＨ２で均一に形成されている。また、収容溝１３５の両側は、上端面１３３に対して直角な端面１３６となっており、脚部１２５の側面１２６が当接する被当接面として利用する。
【００３５】
では、次に、図４を参酌して、側溝１００の使用態様について説明する。
【００３６】
まず、図４（ａ）に示すように、路面に掘られた穴に土台部１３０を略水平に設置する。そして、図２（ｃ）に示す地面に立てられた本体部１２０を、そのまま上方に持ち上げ、設置面１３１上に設置する。
【００３７】
この状態で、収容溝１３５の中心における縦断面図（すなわち、図３（ｂ）におけるＡ―Ａ断面）を図４（ｂ）に示す。図４（ｂ）に示すように、脚部１２５は収容溝１３５内に収容され、脚部１２５以外の底壁１２１は、設置面１３１上にしっかりと載置されている。
【００３８】
そして、図４（ｃ）に示すように、収容溝１３５は、土台部１３０の短手方向へ長尺状であるから、脚部１２５を収容溝１３５内に収容したまま、本体部１２０を土台部１３０上で任意の方向へ傾斜させることができる。なお、収容溝１３５の深さＨ２は、脚部１２５の高さＨ１より大きいので、脚部１２５が収容溝１３５底面に接触することがなく、本体部１２０の傾斜を妨げない。
【００３９】
ここで、図４（ｃ）に示すように、本体部１２０が所定の角度まで傾斜すると、脚部１２５の側面１２６が、収容溝１３５の端面１３６に当接する。この側面１２６及び端面１３６は、互いにコンクリート等で形成されており、非常に強度が強い。そのため、この傾斜した状態を、側面１２６と端面１３６によって強力に維持できるのである。
【００４０】
なお、この傾斜した状態は、土台部１３０の固定孔Ｈが貫通孔１２４を貫通した固定部材の先端をしっかりと固定している（不図示）ので、この固定部材によっても、本体部１２０が傾斜した状態は維持されている。ただ、固定部材を使用しない場合や、この固定部材の固定力のみでは不十分な場合に、側面１２６と端面１３６との当接を利用するのが特に有効である。
【００４１】
このように、本体部１２０に脚部１２５を設けたので、図２（ｃ）に示すように、地面等に立てた状態で本体部１２０を保管できる。特に、本体部１２０の底壁１２１は、傾斜出来るように円弧状をしているので、底壁１２１を平坦な地面等に設置させて保管するとなると、本体部１２０が転がって横転してしまい非常に危険である。しかしながら、脚部１２５によって、本体部１２０を立てた状態で安定して保管できるので、非常に便利である。
【００４２】
また、本体部１２０を土台部１３０の設置面１３１上に載置する場合も、その立てた状態の本体部１２０をそのまま持ち上げればよいので、作業がしやすい。さらに、この脚部１２５は収容溝１３５に収容されるので、本体部１２０の載置の妨げになることもない。また、収容溝１３５は長尺状に形成されているので、その収容溝１３５に脚部１２５を収容したまま、本体部１２０を傾斜させることができ、収容溝１３５は本体部１２０を傾斜させる際のガイドの役割もする。さらに、脚部１２５の側面１２６は、収容溝１３５の端面１３６に当接するので、傾斜した状態を強力に維持することができるのである。
【００４３】
なお、図４（ｃ）では、側面１２６の先端が端面１３６の一部に当接しているが、さらに、傾斜した状態を強力に維持するために、側面１２６と端面１３６とが、互いに面接触するようにしてもよい。具体的には、図４（ｄ）に示すように、傾斜した状態で端面１３６に面接触出来るように、側面１２６の一部に、端面１３６に平行な表面の傾斜面１２６ａを設ければよい。また、図４（ｅ）に示すように、傾斜した状態で側面１２６に面接触出来るように、端面１３６の一部に、側面１２６に平行な表面の傾斜面１３６ａを設けてもよい。
【００４４】
（変形例１）
以下では、本発明の本体部１２０の変形例である本体部１２０Ａについて、図５を参照して説明する。本体部１２０では、当接面として側面１２６を、被当接面として端面１３６を利用していたが、本体部１２０Ａでは、当接面として本体部１２０Ａの下面１２８Ａを、被当接面として土台部１３０の上端面１３３を利用する。
【００４５】
図５に示す本体部１２０Ａは、底壁１２１Ａ両側の側壁１２２Ａの表面から突出した側面部１２７Ａを備え、さらに、この側面部１２７Ａは下面１２８Ａを備えている。なお、側面部１２７Ａが上方に向かって次第に厚さが薄くなっているのは、本体部１２０Ａを構成する材料を節約するためである。
【００４６】
では、次に、図６（ａ）に示すように、本体部１２０Ａを土台部１３０の設置面１３１上に設置する。そして、図６（ｂ）に示すように、任意の方向へ本体部１２０Ａを傾斜させると、本体部１２０Ａの下面１２８Ａと、土台部１３０の上端面１３３は当接する。この下面１２８Ａ及び上端面１３３は、互いにコンクリート等で出来ており、非常に強度が強い。そのため、この傾斜した状態を、下面１２８Ａと上端面１３３によって強力に維持できるのである。さらに、下面１２８Ａ全体は、本体部１２０Ａが傾斜した状態で、土台部１３０の上端面１３３と面接触できるように、傾斜面となっている。したがって、この面接触により、傾斜した状態を更に強力に維持できるのである。
【００４７】
（変形例２）
次に、本発明の本体部１２０の変形例である本体部１２０Ｂについて、図７を参照して説明する。本体部１２０では、当接面として側面１２６を、被当接面として端面１３６を利用していたが、本体部１２０Ｂでは、当接面として本体部１２０Ｂの下面１２８ＢＬを、被当接面として土台部１３０の上端面１３３を利用する。
【００４８】
図７に示す本体部１２０Ｂは、底壁１２１Ｂの一方（本実施例では、図７（ａ）において左側）の側壁１２２Ｂの表面から突出した側面部１２７ＢＬを備え、さらに、この側面部１２７ＢＬは、下面１２８ＢＬを備えている。また、底壁１２１Ｂの他方（本実施例では、図７（ａ）において右側）の側壁１２２Ｂの表面から突出した側面部１２７ＢＲを備え、さらに、この側面部１２７ＢＲは、下面１２８ＢＲを備えている。そして、この下面１２８ＢＲは、下面１２８ＢＬより低い位置に設けられている。
【００４９】
では、次に、図８（ａ）に示すように、本体部１２０Ｂを土台部１３０の設置面１３１上に設置する。図に示すように、本体部１２０Ｂの上端が水平になるように土台部１３０上に載置された状態で、下面１２８ＢＲは、土台部１３０の上端面１３３に面接触するようになっている。一方、下面１２８ＢＬは、下面１２８ＢＲより高い位置に設けられているので、上端面１３３との間には隙間ができている。
【００５０】
そのため、図８（ｂ）に示すように、本体部１２０Ｂは下面１２８ＢＬの方へ傾斜させることができ、その傾斜させた状態で、下面１２８ＢＬと土台部１３０の上端面１３３とは当接する。そして、この下面１２８ＢＬ及び上端面１３３は、互いにコンクリート等で出来ており、非常に強度が強い。そのため、この傾斜した状態を、下面１２８ＢＬと上端面１３３によって強力に維持できるのである。
【００５１】
このように、一方の下面１２８ＢＲの高さを、本体部１２０Ｂの上端が水平になるように土台部１３０上に載置された状態において、下面１２８ＢＲと上端面１３３とが面接触できるような高さに設定した。そのため、図８（ａ）に示す本体部１２０Ｂを傾斜させる前の設置状態を、この面接触によって安定して維持できるのである。また、傾斜させたい方の下面１２８ＢＬの高さを、一方の下面１２８ＢＲより高くすることで、図８（ｂ）に示す本体部１２０Ｂを傾斜させた後の状態を、下面１２８ＢＬと上端面１３３とが接触することで強力に維持できるのである。
【００５２】
なお、図８（ｂ）に示す本体部１２０Ｂが傾斜した状態で、下面１２８ＢＬ全体が土台部１３０の上端面１３３と面接触できるように、下面１２８ＢＬ全体を傾斜面としてもよい。すると、傾斜面の下面１２８ＢＬと上端面１３３とが面接触して、本体部１２０Ｂが傾斜した状態を更に強力に維持できる。
【００５３】
また、図８（ｂ）では、土台部１３０の両側の上端面１３３の高さが等しいので、本体部１２０Ｂが傾斜すると、傾斜した側とは反対側（本実施例では、図８（ｂ）において右側）において、下面１２８ＢＲと上端面１３３の間に隙間が出来てしまう。そこで、本体部１２０Ｂを傾斜させたい側とは反対側の上端面１３３（本実施例では、図８（ｂ）において右側）を、本体部１２０Ｂを傾斜させたい側の上端面１３３より高い位置に設けておくことで、右側の上端面１３３が下面１２８ＢＲと接触して、隙間がなくなり、本体部１２０Ｂが傾斜した状態をより安定させることができる。
【００５４】
＜補助固定具について＞
次に、本発明の本体部１２０の位置姿勢を維持するために、補助的に使用可能な補助固定具について、図９を参照して説明する。
【００５５】
図９（ａ）及び（ｂ）に示すように、補助固定具３００は、底壁３１０と側壁３２０からなる略Ｌ字形状をした金属製部材であり、ボルト等が貫通可能な長尺状の貫通孔３２１が設けられている。また、補助固定具３００は、一枚の金属製の板材を屈曲させて形成したものであるが、強い力を加えることで、側壁３２０を傾斜させることができる。
【００５６】
では、図９（ｃ）に、補助固定具３００の使用状態を示す。図９（ｃ）では、本体部１２０を傾斜させずに土台部１３０上に載置させた状態を、補助固定具３００により維持している。具体的には、補助固定具３００の底壁３１０を土台部１３０の上端面１３３上に、接着材やボルト等（不図示）によって強固に固定する。一方の側壁３２０の貫通孔３２１には、ボルト等を貫通させ、そのボルト先端を側壁１２２の固定穴Ｈに螺合させて固定する。これにより、本体部１２０の設置された位置姿勢が、維持される。
【００５７】
次に、図９（ｄ）では、本体部１２０を傾斜させた状態を示している。この場合は、予め、本体部１２０の傾斜に応じて補助固定具３００の側壁３２０を屈曲させている。そのため、補助固定具３００の側壁３２０は、本体部１２０の側壁１２２の表面に密着でき、さらに、側壁３２０の貫通孔３２１は長尺状であるから、側壁３２０を傾斜させても、ボルトを貫通孔３２１に沿って移動させれば、固定穴Ｈに無理なく固定できる。
【００５８】
次に、図９（ｅ）では、一方の補助固定具３００（本実施例では、図９（ｅ）において左側）を、長尺のボルトＰＬによって、上端面１３３に固定している。具体的には、底壁３１０に貫通孔を設け、その貫通孔にボルトＰＬを貫通させ、ボルトＰＬの先端を上端面１３３に螺合固定している。また、他方の補助固定具３００（本実施例では、図９（ｅ）において右側）を、短尺のボルトＰＲによって、上端面１３３に固定している。これも同様に、底壁３１０に貫通孔を設け、その貫通孔にボルトＰＲを貫通させ、ボルトＰＲの先端を上端面１３３に螺合固定している。
【００５９】
そして、図９（ｆ）では、本体部１２０を傾斜させた状態を示している。図に示すように、傾斜している方の補助固定具３００（本実施例では、図９（ｆ）において左側）は、長尺のボルトＰＬによって高い位置で固定されているため、本体部１２０が傾斜方向へ倒れ込もうとする力を、効果的に支えることができる。また、反対側の補助固定具３００（本実施例では、図９（ｆ）において右側）は、短尺のボルトＰＲによって低い位置で固定されているため、本体部１２０が傾斜方向へ倒れ込もうとするのを、傾斜方向とは反対方向へ引っ張る様にして、防ぐことができる。
【００６０】
また、図９（ｇ）では、補助固定具３００の代わりに、くさび形の補助固定具Ｖを使用している。この補助固定具Ｖを、本体部１２０の底壁１２１と土台部１３０の設置面１３１との間の隙間に、上端面１３３側から差し込んで、本体部１２０の傾斜した位置姿勢を維持している。
【００６１】
＜集水枡について＞
以下では、集水枡２００の本体部２２０の構造について、詳しく説明する。なお、この集水桝２００の本体部２２０には、図２に示す本体部１２０の脚部１２５に対応する脚部２２５を、集水桝２００の土台部２３０には、図３に示す土台部１３０の収容溝１３５に対応する収容溝２３５をそれぞれ形成しており、その構成や作用効果は、脚部１２５及び収容溝１３５と同様である。
【００６２】
図１０（ａ）から（ｄ）に示すように、集水枡２００の本体部２２０は、四方を囲む４つの側壁２２２と、底壁２２１により、有底の中空状の略立方体形状をしている。したがって、この集水枡２００の内部には、雨水等を集水して貯めることのできる集水空間（枡）２１０が形成される。
【００６３】
また、本体部２２０の上端２２３には、グレーチング等を置くことのできる段部が設けられている。さらに、前後の側壁２２２には開口した通水口が設けられており、この通水口は側溝１００の集水空間１１０と接続されることで（図１参照）、側溝１００の集水空間１１０と本体部２２０の集水空間２１０とが連通されることになる。したがって、側溝１００と集水枡２００の内部で、雨水等の往来が可能となる。
【００６４】
また、底壁２２１には、計４つの脚部２２５が設けられており、図１０（ｃ）に示すように、本体部２２０を平坦な地面等に立てて置くことができる。さらに、この脚部２２５は、底壁２２１の表面から突出形成したものであるが、その側面２２６を、後述する端面２３６に当接する当接面として利用する。また、底壁２２１には、その短手方向へ長尺状の貫通孔２２４が、平行に２つ設けられている。
【００６５】
なお、図１０（ｅ）には、図１０（ａ）の本体部２２０を、上下に２分割したタイプを示す。上方の本体部２２０Ｔと下方の本体部２２０Ｂとは、固定金具Ｆによって互いに強固に固定された状態で、使用される。
【００６６】
次に、図１１に、集水枡２００の土台部２３０を示す。この土台部２３０は、基本的に側溝１００の土台部１３０と同じ構成であるが、各部の大きさが異なる。具体的には、土台部２３０は、側溝１００の土台部１３０のように長尺形状ではなく、略立方体形状の本体部２２０を載せることを考慮して、平面視略正方形状となるように形成されている。また、設置面２３１は、その表面が底壁２２１の半径と等しい円弧状となっており、底壁２２１と対応した形状となっている。また、設置面２３１の中心には、固定部材としてのボルトの先端が螺合するための固定穴Ｈが、形成されている。
【００６７】
さらに、設置面２３１には、土台部２３０の短手方向へ長尺の収容溝２３５が、本体部２２０の脚部２２５に対応する位置に形成されている。そして、図１１（ｄ）に示すように、収容溝２３５は、設置面２３１の表面から一定の深さで均一に形成されている。また、収容溝２３５の両側は、上端面２３３に対して直角な端面２３６となっており、側面２２６が当接する被当接面として利用する。
【００６８】
そして、この土台部２３０上に本体部２２０を設置して、路面の勾配に応じて、本体部２２０を傾斜させて使用する。図１０に示す本体部２２０の脚部２２５は、図１１に示す土台部２３０の収容溝２３５に収容され、収容溝２３５は土台部２３０の短手方向へ長尺状であるから、脚部２２５を収容したまま、本体部２２０は土台部２３０上で傾斜できる。さらに、本体部２２０が所定の角度まで傾斜すると、脚部２２５の側面２２６が、収容溝２３５の端面２３６に当接する。この側面２２６及び端面２３６は、互いにコンクリート等で出来ており、非常に強度が強い。そのため、この傾斜した状態を、側面２２６と端面２３６によって強力に維持できるのである。
【００６９】
（変形例１）
以下では、本発明の本体部２２０の変形例である本体部２２０Ａについて、図１２を参照して説明する。なお、本体部２２０では、当接面として側面２２６を、被当接面として端面２３６を利用していたが、本体部２２０Ａでは、当接面として本体部２２０Ａの下面２２８Ａを、被当接面として土台部２３０の上端面２３３を利用する。
【００７０】
図１２に示す本体部２２０Ａは、底壁２２１Ａ両側の側壁２２２Ａの表面から、突出した側面部２２７Ａを備え、さらに、この側面部２２７Ａは下面２２８Ａを備えている。
【００７１】
この本体部２２０Ａは、図１３に示すように、土台部２３０上に載置され、任意の方向へ本体部２２０Ａを傾斜させると、本体部２２０Ａの下面２２８Ａと、土台部２３０の上端面２３３は当接する。この下面２２８Ａ及び上端面２３３は、互いにコンクリート等で出来ており、非常に強度が強い。そのため、この傾斜した状態を、下面２２８Ａと上端面２３３によって強力に維持できるのである。さらに、下面２２８Ａ全体は、本体部２２０Ａが傾斜した状態で、土台部２３０の上端面２３３と面接触できるように、傾斜面となっている。したがって、この面接触により、本体部２２０Ａが傾斜した状態を更に強力に維持できるのである。
【００７２】
（変形例２）
以下では、本発明の本体部２２０の変形例である本体部２２０Ｂについて、図１４を参照して説明する。なお、本体部２２０では、当接面として側面２２６を、被当接面として端面２３６を利用していたが、本体部２２０Ｂでは、当接面として本体部２２０Ｂの下面２２８ＢＬを、被当接面として土台部２３０の上端面２３３を利用する。
【００７３】
図１４に示す本体部２２０Ｂは、底壁２２１Ｂの一方（本実施例では、図１４（ａ）において左側）の側壁２２２Ｂの表面から突出した側面部２２７ＢＬを備え、さらに、この側面部２２７ＢＬは、下面２２８ＢＬを備えている。また、底壁２２１Ｂの他方（本実施例では、図１４（ａ）において右側）の側壁２２２Ｂの表面から突出した側面部２２７ＢＲを備え、さらに、この側面部２２７ＢＲは、下面２２８ＢＲを備えている。そして、この下面２２８ＢＲは、下面２２８ＢＬより低い位置に設けられている。
【００７４】
この本体部２２０Ｂは、図１５（ａ）に示すように、土台部２３０上に水平に載置されると、下面２２８ＢＲは、土台部２３０の上端面２３３に面接触するようになっている。一方、下面２２８ＢＬは、下面２２８ＢＲより高い位置に設けられているので、上端面１３３との間には隙間できる。
【００７５】
そのため、図１５（ｂ）に示すように、本体部２２０Ｂは下面２２８ＢＬの方へ傾斜させることができ、その傾斜させた状態で、下面２２８ＢＬと土台部２３０の上端面２３３とは当接する。そして、この下面２２８ＢＬ及び上端面２３３は、互いにコンクリート等で出来ており、非常に強度が強い。そのため、この傾斜した状態を、下面２２８ＢＬと上端面２３３によって強力に維持できるのである。
【００７６】
このように、一方の下面２２８ＢＲの高さを、本体部２２０Ｂの上端が水平になるように土台部２３０上に載置された状態で、下面２２８ＢＲと上端面２３３とが面接触できるような高さに設定した。そのため、図１５（ａ）に示す本体部２２０Ｂを傾斜させる前の設置状態を、この面接触によって安定して維持できるのである。また、傾斜させたい方の下面２２８ＢＬの高さを、一方の下面２２８ＢＲより高くすることで、図１５（ｂ）に示す本体部２２０Ｂを傾斜させた後の状態を、下面２２８ＢＬと上端面２３３とが接触することで強力に維持できるのである。
【００７７】
なお、本願発明の埋設構造物は、上記の実施例に限定されず、特許請求の範囲に記載された範囲、実施形態の範囲で、種々の変形例、組み合わせが可能であり、これらの変形例、組み合わせもその権利範囲に含むものである。
【図１】
2016098499.tif 000003
【図２】
2016098499.tif 000004
【図３】
2016098499.tif 000005
【図４】
2016098499.tif 000006
【図５】
2016098499.tif 000007
【図６】
2016098499.tif 000008
【図７】
2016098499.tif 000009
【図８】
2016098499.tif 000010
【図９】
2016098499.tif 000011
【図１０】
2016098499.tif 000012
【図１１】
2016098499.tif 000013
【図１２】
2016098499.tif 000014
【図１３】
2016098499.tif 000015
【図１４】
2016098499.tif 000016
【図１５】
2016098499.tif 000017